Podtech/llm-jp-corpus-v4-ja_patent huggingface dataset:
(57)【要約】【課題】ＢＧＡ−配線基板接続用シートの平面バネがＢＧＡのハンダボールと接触して導通を得るが、接触部分が１点の点接触であるため、大電流を流すと接触抵抗のために発熱しやすい。また、ＢＧＡ−配線基板接続用シートの底部分のパッドとプリント基板との接触部分においても、接触不良によって抵抗が増し発熱が起こる。発熱のためにハンダボールが溶け製品を傷つけてしまうという不具合が発生してしまう。【解決手段】本発明は、ハンダボールとＢＧＡ−配線基板接続用シートのバネ部分との接触点が複数点あるいは面接触を特徴としたＢＧＡ−配線基板接続用シートのバネ構造であり、また底部分とプリント基板とを確実に接触させるため、隆起させたパッド形状とパッドを上下に可動させるため同心円状に刻んだ溝をもつことを特徴としたＢＧＡ−配線基板接続用シート底板構造である。これらのバネ構造を持つＢＧＡ−配線基板接続用シートを使用することで解決できる。【選択図】図１
2008041632.tif 000002
【特許請求の範囲】
【請求項１】
ドーナツのような形状のバネと、ドーナツの中央空間部分にドーナツバネの支点の反対側に支点をもつもうひとつバネと、ドーナツ中央空間部分の左右からのびるハンダボールとの接触部分を増やすための複数のバネがある、ＢＧＡ−配線基板接続用シートのバネ構造。
【請求項２】
一階部分の２段支点バネと、二階部分の左右から接触部分を増やすための複数のバネをもつドーナツ状バネとの、二階建て構造になっているＢＧＡ−配線基板接続用シートのバネ構造。
【請求項３】
表側と裏側に同心円状の切り込みがあり、表と裏でずらしてあることで、断面的に蛇腹構造になっているＢＧＡ−配線基板接続用シートのバネ構造。
【請求項４】
パッドが突起しておりプリント基板との接触を確保するとともに、突起裏にある同心円状の切り込みによって、パッドが上下に可動するＢＧＡ−配線基板接続用シートの底構造。
【発明の詳細な説明】
【技術分野】
【０００１】本発明は、ＢＧＡとプリント基板をハンダボールの溶接をせずに装着する際、ＢＧＡとプリント基板の間に挟んで使用するＢＧＡ−配線基板接続用シートに関する。
【背景技術】
【０００２】これまで、ＢＧＡとプリント基板をハンダボールの溶接をせずに装着するためには、導電性ゴムシートを挟む方法や、内部にバネが入っているポゴピンタイプのシートを挟む、という二つのタイプがよく用いられている。しかし近年のＢＧＡは、高周波数化、ハンダボールの狭ピッチ化が進んでいる。高周波化により、ＢＧＡが発熱をするため、導電性ゴムシートでは熱による劣化が激しく、またポゴピンタイプは、バネを利用するため狭ピッチ化に対応できなくなっているとともに、ＢＧＡのボール数が増えてくると装着時に押し込む圧力が倍増してしまう。また、高周波帯域では、インダクタンスが影響して大きな電気抵抗となってしまうため、低インダクタンス化が求められている。そこで、スルホールの上部にハンダボールと接触する平面バネ、下部にプリント基板と接触するパッドをもち、２段支点の平面バネを持つこと、および、スルホールのストロークが短く、基材に金属を使用していることを特徴とした、ＢＧＡとプリント基板の間に挟むことで導通させるＢＧＡ−配線基板接続用シートを用いることで、先の問題を解決できた。
【発明が解決しようとする課題】
【０００３】ＢＧＡ−配線基板接続用シートの平面バネがＢＧＡのハンダボールと接触して導通を得るが、接触部分が１点の点接触であるため、大電流を流すと接触抵抗のために発熱しやすい。また、ＢＧＡ−配線基板接続用シートの底部分のパッドとプリント基板との接触部分においても、接触不良によって抵抗が増し発熱が起こる。発熱のためにハンダボールが溶け製品を傷つけてしまうという不具合が発生してしまう。
【課題を解決するための手段】
【０００４】本発明は、ハンダボールとＢＧＡ−配線基板接続用シートのバネ部分との接触点が複数点あることを特徴としたＢＧＡ−配線基板接続用シートのバネ構造であり、また底部分とプリント基板とを確実に接触させるため、隆起させたパッド形状とパッドを上下に可動させるため同心円状に刻んだ溝をもつことを特徴としたＢＧＡ−配線基板接続用シート底板構造である。
【０００５】ハンダボールと接触する平面バネは、ドーナツのような形状のバネと、ドーナツの中央空間部分に、ドーナツバネの支点の反対側に支点をもつもうひとつバネと、ドーナツ中央空間部分の左右からのびるハンダボールとの接触部分を増やすための複数のバネがある。ハンダボールが最初に接触するのは、中央空間部分のバネで、これが押し下げられると、次に左右から伸びたバネと接触する。更に深く押し下げられるとドーナツ部分のバネが働く仕組になっている。
【０００６】請求項２にある構造は、一階部分に２段支点バネがあり、二階部分に左右から接触部分を増やすための複数のバネをもつドーナツ状バネがある、二階建て構造になっている。ハンダボールの球面の最下部と２段支点バネが接触すると同時に、球面の周辺部が左右の複数バネと接触する。
【０００７】底板部分は、パッドが突起しておりプリント基板との接触を確保するとともに、突起裏にある同心円状の切り込みによって、パッドが上下に可動する。
【０００８】請求項３にあるバネは、表側と裏側に同心円状の切り込みがあり、表と裏でずらしてあることで、断面的に蛇腹構造になっている。ハンダボールを押し込むとボールを包むように変形して、点ではなく面で接触する。底部分にハンダボールをかまし、プリント基板との接続用にも利用する。
【発明の効果】
【０００９】本発明であるＢＧＡ−配線基板接続用シートのバネ構造を使用すれば、ハンダボールとバネ部分との接触部分が増え、それによって接触抵抗が少なくなり大電流通電時の発熱が抑えられることになる。また底部分が可動することでパッドの高低差による接触不良を防ぐ構造が、プリント基板とパッドの接触を確実にし、接触抵抗を小さくすることで、大電流通電時の発熱が抑えられる。
【図面の簡単な説明】
【００１０】
【図１】ＢＧＡ−配線基板接続用シートの断面図と、平面バネの天頂視座図である。
【図２】二階建て式バネの断面図と、天頂視座図である。
【図３】蛇腹状バネの断面図と、天頂視座図である。
【図１】
2008041632.tif 000003
【図２】
2008041632.tif 000004
【図３】
2008041632.tif 000005
(57)【要約】【課題】従来の装飾照明装置では液体の波の発生機構は、液体容器中に永久磁石を設けた駆動部と外側下部に電磁石が設けられ、両磁石の同極性による、反発力で、上、下、波が発生するため、乱雑な波形となる。小型軽量で鮮明な投影の要求が課題であった。【解決手段】密封容器１内に永久磁石２が内蔵された、波動板３がスプリングバネ４のバネ圧で垂直状態で設けられている。密封容器１の外側に波動板３と対象位置に設置している電磁石６の同極性による反発力にて、波動板３が接触面を蹴るため、水の動圧が小さく、波動源が一箇所である。又、密封容器１の内温度と外気温の差による、くもり発生防止用ニクロム線１０を上側透明板ガラス１８に設け、水位調整用キャップネジ１１を設ける。しかも、密封容器１下側又は、上側に投影可能なＬＥＤ．１４の照明ボツクス１５を設置することを特微とする。【選択図】図１
2008041634.tif 000002
【特許請求の範囲】
【請求項１】
永久磁石２を内蔵した、波動板３とスプリングバネ４を軸棒５で取付座７に取つけ、これを取付台８に固定する。波動板３と密封容器１外側の対称位置に電磁石６を設置し、側面取水口にキャップネジ１１を設ける。
上側透明板ガラス１８中央にニクロム線１０を設置し、この上に透明板ガラスを重ね、２板の緑のすき間を接着剤１６で密封する。
密封容器１下側又は上側に投影可能なＬＥＤ１４照明ボックス１５を設置する。
以上のごとく構成された装飾照明装置。
【発明の詳細な説明】
【技術分野】
【０００１】  この発明は、密封容器内の水に波を発生させるための永久磁石を内蔵した、波動板を密封容器内に設け、密封容器外側面に、波動板と対称位置に、電磁石を設置し、永久磁石と電磁石の同極性による、反発力にて、波を発生させる。密封容器の上側面に、くもり止めニクロム線を設置し、密封容器側面に、水位調整用出水口に、キャップネジを設け、しかも、密封容器下側又は上側に投影可能なＬＥＤ照明ボックスを、設置することで、小型、軽量で微細な波ができ、しかも多彩な投影が得られる装飾照明装置に関するものである。
【背景技術】
【０００２】  液体容器の液体中に永久磁石を設けた駆動板が設置され、液体容器の外側面に電磁石が設置され、この電磁石と永久磁石による同極性の反発力にて、駆動板が、上、下運動することで、波を発生させ、液体容器の下側より照明を照射して、波の投影をする大型の装飾照明装置がある。
【発明が解決しようとする課題】
【０００３】これは次のような欠点があった。
（イ）液体容器内に、永久磁石を設けた駆動板を液中に設けられ、液体容器外側下部に設置されている。
この永久磁石と電磁石の、同極性の反発力にて、上下運動を発生させるため、液全体の振動による乱雑な波となり、波の微細な調整が固難である。
（ロ）駆動板が、液中に水平に設置されて、液体容器外側下面の電磁石の上、下運動による、波発生のため、駆動板に液体の重圧が加わるため、電磁石の容量が大きくなり、小型軽量化が無理である。
（ハ）液体容器内部温度と外気温度との差による、くもり現象が現れるためのくもり止め装置がないため鮮明な投影が限定される。
（ニ）液体容器に液面高さ調整のための取水口にキャップネジが設けていないため、微細な波の発生調整が限定される。
（ホ）光の照明が単色照明のため、投影に色彩変化を求めることが固難である。
【課題を解決するための手段】
【０００４】永久磁石２が内蔵された、波動板３とスプリングバネ４を軸棒５で取付座７にとりつける。これをビス９で取付台８に固定する。波動板３を作動するための、電磁石６が波動板３の対称位置外側に設置され又水位調整用取水口にキヤップネジ１１を側面側に設ける。又密封容器１の上側面と下側面の材質は透明板で、側面の材質は、プラスチック板で、接着剤で接着されている。
上側面は透明板ガラス１８の２枚重ねとし、２枚の間にくもり止め用ニクロム線１０を設置し２枚の緑のすき間を接着剤１６で密着する。
しかも、密封容器１の上側、下側に投影可能なＬＥＤ１４照明ボックス１５を設置する。
本発明は、以上のような、構成からなる装飾照明装置である。
【発明の効果】
【０００５】密封容器１内に永久磁石２が内蔵されている波動板３がスプリングバネ４のバネ圧で垂直状態で設けられている。
波動板３と対称に設置されている電磁石６と永久磁石２の同極性による、反発力にて、波動板３が水の接触面を蹴る動作で、水の重圧が小さく、小容量の電磁石６で作動ができる。
波動発生源が１箇所で、又側面に設けられている出水口のキャップネジ１１で水位１２の調整をすることで微細な調整ができる。密封容器１の上側面透明板ガラス１８の２枚重ねの間にくもり止めニクロム線１０を設置し、透明板ガラス１８の縁のすき間を接着剤１６で密封する、ことでくもりが消える。しかも、密封容器１の下側、又は上側に投影可能なＬＥＤ１４照明ボックス１５を設置することで、多彩で、鮮明な投影が得られる。
【発明を実施するための最良の形態】
【０００６】以下、本案の実施の形態を説明する
（イ）永久磁石２を内蔵した波動板３とスプリンバネ４を軸棒５で取付座７に取付ける。取付られた取付座７を密封容器１内の取付台８に固定する。
（ロ）永久磁石２を内蔵した．波動板３と対称に、密封容器１の外側側面に電磁石６が設置され両磁石の同極性による反発力で波を発生する。
（ハ）密封容器１の上側面、下側面の材質は透明板ガラスで側面側の材質は、プラスチック板にて接着され、上側面の透明板ガラス１８表面中央にくもり止め用のニクロム線１０を設置し、この上に透明板ガラスを重ね、２枚の透明板ガラスの緑のすき間を接着剤１６で接着し、密封状態にする。
（ニ）密封容器１の側面に水位調整用取水口にキャップネジ１１が設けられている。
（ホ）密封容器１下側又は上側に投影可能なＬＥＤ１４照明ボックス１５を設ける。
以上の構成によりＬＥＤ照明の光源を使用するため、熱の発生が小さく、又、波の発生源が一箇所であるため、電磁石６も１個となり、しかも多彩で鮮明な投影ができる。
【図面の簡単な説明】
【０００７】
【図１】本発明の平面図である。
【図２】本発明の側面図である。
【図３】本発明の断面図である。
【符号の説明】
【０００８】  １  密封容器          ２  永久磁石          ３  波動板
４  スプリングバネ    ５  軸棒              ６  電磁石
７  取付座            ８  取付台            ９  ビス
１０  ニクロム線      １１  キャップネジ    １２  水位
１３  線固定板        １４  ＬＥＤ          １５  照明ボックス
１６  接着剤          １７  保持台
１８  上側透明板ガラス
【図１】
2008041634.tif 000003
【図２】
2008041634.tif 000004
【図３】
2008041634.tif 000005
(57)【要約】      （修正有）【課題】補聴器の使用を停止したときも取り外す必要がなく、スイッチを切ることにより空気電池の消耗を抑制できる電池アダプターを提供する。【解決手段】補聴器５の電池室７からレバーを引いて電池室を開ける。電池室７から空気電池を取り出して，空気電池と同型のアダプターをレバーを押し込んでセット状態にする。このようにしてアダプターを電池室７に納める。あとはコード２経由で電池ケース３に入った一般の電池電池から電源を送る。【選択図】図２
2008041631.tif 000002
【特許請求の範囲】
【請求項１】
補聴器用空気電池と同型のアダプターとコードを経由して電池ケースを一体化した，電池アダプター。
【請求項２】
雑音が入らないようシールドした，請求項１記載の電池アダプター。
【発明の詳細な説明】
【技術分野】
【０００１】  本発明は，補聴器用電池の取扱いを簡素化に図った電池アダプターに関するものである。
【背景技術】
【０００２】  従来の補聴器の空気電池の取扱いは，使用しない就寝時は，電池寿命を長くする目的で，毎日補聴器から取り出して，空気に触れないようにして保管する必要がある。【０００３】  以下，図１により従来の補聴器について説明する。図において耳かけ型補聴器を例にとって説明すると，図１のレバー６を引くと電池室７が開き空気電池がセットされている。
【発明の開示】
【発明が解決しようとする課題】
【０００４】  以上に述べた従来の電池では，毎日の出し入れが面倒なことと，電池寿命が短く，その上，高価な空気電池以外使用できなかった。尚，空気電池は，取りはずしたあと空気に触れないように保管する必要がある。
【課題を解決するための手段】
【０００５】  そして，本発明は上記目的を達成するために補聴器５の電池室７からボタン型空気電池を取り出して，そのあとに空気電池と同型の，本発明のアダプター１を納める，あとはコード２経由で一般の電池から補聴器５に電源を供給できる。一般電池は，電池ケース３に入れたままでも放電せず，補聴器５を使用しない時は，スイッチ４を切りで停止する。
【発明の効果】
【０００６】  上述したように本発明の電池アダプター１は，補聴器５の使用を停止したときも取り外す必要もなく，スイッチ４を切っておくだけで補聴器５が止まると同時に，電池の消耗も止まる。
【発明を実施するための最良の形態】
【０００７】  以下，本発明の実施の形態を図１〜図３に基ずいて説明する。
図においては，１は空気電池と同型の電池アダプターで，２は目立たないコードにする，３は電池ケースで，そのケースに４スイッチを配置する。【０００８】  以下上記構成を説明する。図１に示す，レバー６を引いて電池室７を開ける，電池室７から空気電池を取り出す，図２は，そのあとにアダプター１を入れてレバー６を押し込んでセット状態にする。以上のように，本実施形態によれば安易と経済的な効果が得られるものである。
【産業上の利用可能性】
【０００９】  本発明に係わる補聴器用電池アダプターは，工業的に量産する事が可能であるため，産業上の利用可能性を有する。
【図面の簡単な説明】
【００１０】
【図１】  補聴器の電池室を開けた状態の平面外観図
【図２】  本発明を補聴器にセットした状態の想像図
【図３】  本発明の一体化図
【符号の説明】
【００１１】  １  空気電池と同型のアダプター
６  電池室を開けるレバー
７  電池室
【図１】
2008041631.tif 000003
【図２】
2008041631.tif 000004
【図３】
2008041631.tif 000005